(57)【要約】      （修正有）【課題】車載バッテリの蓄電量をユーザが車外から確認できるようにしつつ、ユーザに与える不快感を軽減するＳＯＣインジケータを提供する。【解決手段】車両１は、車外電源５００から供給される電力を受けるインレット３０を覆うための充電リッド５と、車外から視認可能な位置に配置されたバッテリの蓄電量を示すＳＯＣインジケータ８０と、ＳＯＣインジケータに車載バッテリ１０の蓄電量を表示するＳＯＣ表示制御を実行可能なＥＣＵ１００とを備える。ＥＣＵは、ユーザが車両に接近し、かつ充電リッドが開いている場合は、ＳＯＣ表示制御を実行する。一方、ユーザが車両に接近していない場合、又は充電リッドが閉じている場合、ＳＯＣ表示制御を実行しない。【選択図】図１
2017093066.tif 000002
【特許請求の範囲】
【請求項１】
車外の電源から供給される電力を用いて車載の蓄電装置を充電可能な車両であって、
前記電源から供給される電力を受けるインレットと、
前記インレットを覆うための充電リッドと、
車外から確認可能な情報を出力可能な出力装置と、
前記出力装置を制御する制御装置とを備え、
前記出力装置が出力する情報は、前記蓄電装置の蓄電量を示す情報であり、
前記制御装置は、
ユーザが前記車両に接近し、かつ前記充電リッドが開かれている場合、前記蓄電量を示す情報を出力するように前記出力装置を制御し、
ユーザが前記車両に接近していない場合、または前記充電リッドが閉じられている場合、前記蓄電量を示す情報を出力しないように前記出力装置を制御する、車両。
【発明の詳細な説明】
【技術分野】
【０００１】
本発明は、車外の電源から供給される電力を用いて車載の蓄電装置を充電可能な車両に関する。
【背景技術】
【０００２】
特開２０１２−２５２４８号公報（特許文献１）には、車外の電源から供給される電力を用いて車載のバッテリを充電する外部充電を実行可能な車両が開示されている。この車両は、車外から視認可能なダッシュボードの上面にバッテリ残量（蓄電量）を表示する表示部を有する。車両停車中にユーザが車両に接近したことによってユーザが所持する電子キーからの信号を車両が受信した場合、表示部にバッテリ残量が表示される。これにより、車外にいる人が車外からバッテリ残量を確認することができる。
【先行技術文献】
【特許文献】
【０００３】
【特許文献１】特開２０１２−２５２４８号公報
【特許文献２】特開２０００−１０２１０４号公報
【特許文献３】特開２００９−７７５５８号公報
【特許文献４】特開平９−２８５０２２号公報
【発明の概要】
【発明が解決しようとする課題】
【０００４】
しかしながら、ユーザが車外からバッテリ残量を確認したいというニーズが低い場合にまで車外に向けてバッテリ残量を表示すると、ユーザが不快に感じるおそれがある。
【０００５】
すなわち、外部充電中、あるいは外部充電前後の待機状態（車載バッテリから車外に給電可能な車両においては、外部給電中、あるいは外部給電前後の待機状態を含む）などにおいては、ユーザが車両を降りてから長時間が経過しておりユーザが車内でバッテリ残量を最後に確認した時から長時間が経過していることが多いため、ユーザが車外からバッテリ残量を確認したいというニーズは高いと考えられる。
【０００６】
一方、車両走行中でありユーザが車内でバッテリ残量を確認可能である場合、あるいは一時的に駐車しているに過ぎない場合（ユーザが車内でバッテリ残量を最後に確認した時からあまり時間が経過していない場合）には、ユーザが車外からバッテリ残量を確認したいというニーズは低いと考えられる。このような場合にまで車外に向けてバッテリ残量を表示すると、ユーザはバッテリ残量を確認したいとは思っていないにも関わらずユーザ以外の他人にバッテリ残量を見られてしまう可能性があり、ユーザが不快に感じるおそれがある。
【０００７】
本発明は、上述の課題を解決するためになされたものであって、その目的は、車載の蓄電装置の蓄電量をユーザが車外から確認できるようにしつつ、ユーザに与える不快感を軽減することである。
【課題を解決するための手段】
【０００８】
この発明に係る車両は、車外の電源から供給される電力を用いて車載の蓄電装置を充電可能な車両であって、電源から供給される電力を受けるインレットと、インレットを覆うための充電リッドと、車外から確認可能な情報を出力可能な出力装置と、出力装置を制御する制御装置とを備える。出力装置が出力する情報は、蓄電装置の蓄電量を示す情報である。制御装置は、ユーザが車両に接近し、かつ充電リッドが開かれている場合、蓄電量を示す情報を出力するように出力装置を制御する。制御装置は、ユーザが車両に接近していない場合、または充電リッドが閉じられている場合、蓄電量を示す情報を出力しないように出力装置を制御する。
【０００９】
上記構成によれば、ユーザが車両に接近し、かつ充電リッドが開かれている場合は、外部充電中あるいは外部充電前後の待機状態であり、ユーザが車外からバッテリ残量を確認したいというニーズは高いと考えられるため、蓄電量を示す情報を出力するように出力装置が制御される。一方、ユーザが車両に接近しても、充電リッドが閉じている場合は、外部充電中あるいは外部充電前後の待機状態ではなく、ユーザが車外から蓄電量を確認したいというニーズが低いと考えられるため、蓄電量を示す情報を出力しないように出力装置が制御される。これにより、ユーザ以外の他人に蓄電量を確認されてしまうことが回避される。その結果、車載の蓄電装置の蓄電量をユーザが車外から確認できるようにしつつ、ユーザに与える不快感を軽減することができる。
【図面の簡単な説明】
【００１０】
【図１】車両を含む充電システムの全体構成を模式的に示す図である。
【図２】ＳＯＣインジケータの点灯状態を例示する図である。
【図３】ＥＣＵの処理手順を示すフローチャート（その１）である。
【図４】ＳＯＣ表示制御が実行および停止されるタイミングの一例を示す図である。
【図５】ＥＣＵの処理手順を示すフローチャート（その２）である。
【発明を実施するための形態】
【００１１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１２】
＜車両を含む充電システムの構成＞
図１は、本発明の実施の形態による車両１を含む充電システムの全体構成を模式的に示す図である。この充電システムは、車両１と、車両１の外部に設けられた電源装置（以下「外部電源装置」という）５００と、充電ケーブル４００とを含む。
【００１３】
車両１は、複数のドア部（左フロントドア２Ｌ、右フロントドア２Ｒ、左リアドア３Ｌ、右リアドア３Ｒ、およびバックドア４）と、充電リッド５と、ダッシュボード７と、バッテリ１０と、充電器２０と、インレット３０と、アンテナ５１〜５５と、開閉検出センサ６１〜６６と、ドアロック機構７１〜７５と、ＳＯＣインジケータ（出力装置）８０と、ＥＣＵ（Electronic  Control  Unit）１００とを備える。
【００１４】
外部電源装置５００は、たとえばユーザの自宅における駐車スペースなどに設けられる。充電ケーブル４００の一方の端部は外部電源装置５００に接続される。充電ケーブル４００の他方の端部には、車両１のインレット３０に脱着可能な充電コネクタ４１０が設けられる。
【００１５】
車両１は、バッテリ１０に蓄えられた電力を用いて図示しない走行用モータを駆動させて走行する電動車両（電気自動車、ハイブリッド自動車など）である。車両１は、外部電源装置５００から充電ケーブル４００を介して供給される電力（以下「外部電力」ともいう）を用いて車載のバッテリ１０を充電する制御（以下「外部充電」ともいう）を実行可能に構成される。
【００１６】
左フロントドア２Ｌ、右フロントドア２Ｒ、左リアドア３Ｌ、および右リアドア３Ｒは、主にユーザが車両１に乗降する際にユーザの手動操作によって開閉される。バックドア４は、主にユーザが荷物の積み降ろしを行なう際にユーザの手動操作によって開閉される。
【００１７】
車両１のインレット３０は、充電コネクタ４１０と接続可能に構成される。本実施の形態では、インレット３０は、車体の後方側面に配置される。
【００１８】
バッテリ１０は、図示しない走行用モータに供給するための電力を蓄える二次電池である。なお、バッテリ１０に代えて、大容量のキャパシタを採用してもよい。
【００１９】
充電器２０は、インレット３０が受けた外部電力をバッテリ１０に充電可能な電力に変換してバッテリ１０に出力する。
【００２０】
インレット３０は、通常時は充電リッド５で覆われる。充電リッド５は、ユーザの操作によって開閉可能に構成される。ユーザの操作によって充電リッド５が開かれると、ユーザが充電コネクタ４１０をインレット３０に接続することが可能となる。
【００２１】
アンテナ５１〜５５は、それぞれ、左フロントドア２Ｌ、右フロントドア２Ｒ、左リアドア３Ｌ、右リアドア３Ｒ、およびバックドア４の内部に設けられ、ユーザが携帯可能な電子キー（スマートキー）９０と通信可能に構成される。アンテナ５１による通信可能範囲ＡＦＬ、アンテナ５２による通信可能範囲ＡＦＲ、アンテナ５３による通信可能範囲ＡＲＬ、アンテナ５４による通信可能範囲ＡＲＲ、アンテナ５５による通信可能範囲ＡＢの少なくともいずれかの範囲（以下「照合範囲」という）内に電子キー９０が存在する場合、ＥＣＵ１００は、アンテナ５１〜５５を通じて電子キー９０と通信することができる。一方、照合範囲内に電子キー９０がない場合、ＥＣＵ１００は、電子キー９０と通信することができない。
【００２２】
開閉検出センサ６１〜６５は、それぞれ、左フロントドア２Ｌ、右フロントドア２Ｒ、左リアドア３Ｌ、右リアドア３Ｒ、およびバックドア４が開いているか閉じているかを検出し、検出結果をＥＣＵ１００に出力する。開閉検出センサ６６は、充電リッド５が開いているか閉じているかを検出し、検出結果をＥＣＵ１００に出力する。
【００２３】
ドアロック機構７１〜７５は、それぞれ、ＥＣＵ１００からの制御信号に基づいて、左フロントドア２Ｌ、右フロントドア２Ｒ、左リアドア３Ｌ、右リアドア３Ｒ、およびバックドア４を、ロック状態およびアンロック状態のいずれかの状態に切り替える。ロック状態は、各ドアが閉じられた状態で固定され、ユーザが各ドアを開くことが不能な状態である。アンロック状態は、ロック状態が解除された状態であり、ユーザが各ドアを開くことが可能な状態である。
【００２４】
ＳＯＣインジケータ８０は、ダッシュボード７の上面（車外から視認可能な位置）に配置される。ＳＯＣインジケータ８０は、ＥＣＵ１００からの制御信号に基づいて、バッテリ１０の蓄電量を示すＳＯＣを表示する。ＳＯＣは、車両システムの作動中（イグニッション電源オン状態）においては、図示しない車内のコンビネーションメータ内に表示されるが、コンビネーションメータ内の表示は車外からは視認し難い。これに対し、ＳＯＣインジケータ８０は、ダッシュボード７の上面、すなわち窓（ウインドシールド）越しに車外から視認可能な位置に配置される。なお、ＳＯＣインジケータ８０を設ける位置は、充電リッド５の開閉状態に関わらず車外から視認可能な位置であればよく、必ずしもダッシュボード７の上面に限定されるものではない。
【００２５】
本実施の形態によるＳＯＣインジケータ８０は、全３灯のランプを有し、各ランプをそれぞれ常灯、点滅、消灯させることでＳＯＣを表示する。これにより、ユーザは、窓越しにＳＯＣインジケータ８０を見ることによって、車外からＳＯＣ（バッテリ１０の蓄電量）を確認することができる。
【００２６】
ＥＣＵ１００は、図示しないＣＰＵ（Central  Processing  Unit）およびメモリを内蔵し、当該メモリに記憶されたマップおよびプログラムと各センサの検出結果とに基づいて所定の演算処理を実行し、その演算処理の結果で車両１が所望の状態となるように車両１の各機器を制御する。
【００２７】
ＥＣＵ１００は、アンテナ５１〜５５のいずれかに受信された情報に基づいて、照合範囲内に存在する電子キー９０が正規のユーザのものであるという照合条件が成立しているか否かを判定する処理（以下「照合処理」ともいう）を行なう。
【００２８】
具体的には、ＥＣＵ１００は、所定のタイミングでリクエスト信号をアンテナ５１〜５５から発信する。リクエスト信号が照合範囲内にある電子キー９０に受信されると、電子キー９０は、予め記憶された自らのＩＤコードを特定可能なレスポンス信号を返信する。
【００２９】
ＥＣＵ１００は、リクエスト信号を送信してから所定期間内に電子キー９０からのレスポンス信号を受信しない場合、「照合不成立」と判定する。一方、ＥＣＵ１００は、リクエスト信号を送信してから所定期間内に電子キー９０からのレスポンス信号を受信した場合、レスポンス信号によって特定されるＩＤコードと予め登録されたＩＤコードとを照合し、両者が一致する場合は「照合成立」（正規のユーザのものである）と判定し、両者が一致しない場合は「照合不成立」と判定する。
【００３０】
電子キー９０は、各ドアのロック状態およびアンロック状態の切替要求を入力するための操作部を有する。ユーザが電子キー９０の操作部を操作すると、ドアロック要求信号またはドアアンロック要求信号を車両１に送信する。ＥＣＵ１００は、アンテナ５１〜５５のいずれかを通じて電子キー９０からドアロック要求信号を受信した場合、全ドア（左フロントドア２Ｌ、右フロントドア２Ｒ、左リアドア３Ｌ、右リアドア３Ｒ、およびバックドア４）をロック状態にするようにドアロック機構７１〜７５を制御する。ＥＣＵ１００は、アンテナ５１〜５５のいずれかを通じて電子キー９０からドアアンロック要求信号を受信した場合、全ドアをアンロック状態にするようにドアロック機構７１〜７５を制御する。なお、電子キー９０からドアロック要求信号またはドアアンロック要求信号が送信可能な範囲は上述の照合範囲よりも広い。すなわち、ユーザは上述の照合範囲よりも車両１から離れた範囲から電子キー９０の操作部を操作しても、全ドアのロックおよびアンロックを切り替えることができる。
【００３１】
ＥＣＵ１００は、バッテリ１０の蓄電量を示すＳＯＣを算出する。一般的に、ＳＯＣは、満充電容量に対する実蓄電量の比で表される。ＳＯＣの算出方法としては、バッテリ１０の出力電圧とＳＯＣとの関係を用いて算出する方法や、バッテリ１０を流れる電流の積算値を用いて算出する方法等、種々の公知の手法を用いることができる。
【００３２】
さらに、ＥＣＵ１００は、車外から視認可能なＳＯＣインジケータ８０にＳＯＣを表示する制御（以下「ＳＯＣ表示制御」という）を行なう。
【００３３】
図２は、ＳＯＣ表示制御によるＳＯＣインジケータ８０の点灯状態を例示する図である。上述のように、本実施の形態によるＳＯＣインジケータ８０は、全３灯のランプを有する。ＳＯＣ表示制御が停止されている場合、全３灯のランプは消灯される。
【００３４】
ＳＯＣ表示制御が実行されている場合、全３灯の点灯状態がＳＯＣに応じて変更される。ＳＯＣが所定値Ｓ１（たとえば３０％）未満である場合、左側のランプが点滅され、中央のランプおよび右側のランプが消灯される。ＳＯＣが所定値Ｓ１以上でかつ所定値Ｓ２（たとえば６０％）未満である場合、左側のランプが常灯され、中央のランプが点滅され、右側のランプが消灯される。ＳＯＣが所定値Ｓ２以上でかつ目標値（たとえば８０％）未満である場合、左側のランプおよび中央のランプが常灯され、右側のランプが点滅される。ＳＯＣが目標値以上である場合、全３灯のランプは常灯される。
【００３５】
このように、ＳＯＣ表示制御が実行されることによって、ユーザは、車両システムを起動して車内のコンビネッションメータを確認しなくても、窓越しにＳＯＣインジケータ８０を見ることによって、車外からＳＯＣ（バッテリ１０の蓄電量）を確認することができる。
【００３６】
＜ＳＯＣ表示制御の実行および停止＞
上述のように、ＳＯＣ表示制御が実行されることによって、ユーザは車外からＳＯＣ（バッテリ１０の蓄電量）を確認することができる。しかしながら、ユーザが車外からＳＯＣを確認したいというニーズが低い場合にまでＳＯＣ表示制御が実行されると、ユーザが不快に感じるおそれがある。
【００３７】
すなわち、外部充電中あるいは外部充電前後の待機状態などにおいて充電リッド５が開いている場合においては、ユーザが車両１を降りてから長時間が経過しておりユーザが車内でＳＯＣを最後に確認した時から長時間が経過していることが多いため、ユーザが車外からＳＯＣを確認したいというニーズは高いと考えられる。
【００３８】
一方、外部充電中あるいは外部充電前後の待機状態などではなく充電リッド５が閉じている場合においては、基本的に車両１が走行中でありユーザが車内でＳＯＣを確認可能である場合、あるいは一時的に駐車しているに過ぎずユーザが車内でＳＯＣを最後に確認した時からあまり時間が経過していない場合が多いため、ユーザが車外からＳＯＣを確認したいというニーズは低いと考えられる。このような場合にまでＳＯＣ表示制御を実行すると、ユーザはＳＯＣを確認したいとは思っていないにも関わらずユーザ以外の他人にＳＯＣを見られてしまう可能性があり、ユーザが不快に感じるおそれがある。
【００３９】
そこで、本実施の形態によるＥＣＵ１００は、ユーザが車両１に接近（車両１から離れた位置から車両１に近い位置に移動）し、かつ充電リッド５が開いている場合は、上述のＳＯＣ表示制御を実行する。一方、ユーザが車両１に接近していない場合、または充電リッド５が閉じている場合、上述のＳＯＣ表示制御を実行しない。これにより、ユーザが車外からＳＯＣを確認したいというニーズが低い状況においては、たとえユーザが車両１に接近しても、車外に向けてＳＯＣを表示することが抑制される。そのため、ユーザ以外の他人にＳＯＣを見られてしまうことが回避される。その結果、バッテリ１０の蓄電量をユーザが車外から確認できるようにしつつ、ユーザに与える不快感を軽減することができる。
【００４０】
なお、ユーザが車両１に接近するとは、ユーザが車両１から離れた位置から車両１に近い位置に移動することを意味する。本実施の形態においては、ユーザが車両１に接近したか否かが、後述するように上述の照合処理の結果に基づいて判定される。
【００４１】
図３は、ＥＣＵ１００が行なう処理手順を示すフローチャートである。このフローチャートは、所定周期で繰り返し実行される。
【００４２】
ステップ（以下、ステップを「Ｓ」と略す）１０にて、ＥＣＵ１００は、外部充電中であるか否かを判定する。外部充電中である場合（Ｓ１０にてＹＥＳ）、ＥＣＵ１００は、Ｓ２０にてＳＯＣ表示制御を実行する。
【００４３】
外部充電中でない場合（Ｓ１０にてＮＯ）、ＥＣＵ１００は、Ｓ１１にて、上述の照合処理の結果が照合不成立から照合成立に変化したか否かを判定する。この判定は、正規のユーザが車両１に接近したか否かを判定するために行なわれる。すなわち、電子キー９０を所持した正規のユーザが照合範囲外（車両１から離れた位置）から照合範囲内（車両１に近い位置）に移動した場合に、上述の照合処理の結果が照合不成立から照合成立に変化した、すなわちユーザが車両１に接近したと判定される。
【００４４】
照合不成立から照合成立に変化していない場合（Ｓ１１にてＮＯ）、ＥＣＵ１００は、Ｓ１５にてＳＯＣ表示制御を停止する。なお、ＳＯＣ表示制御が既に停止されている場合には、ＳＯＣ表示制御が停止されている状態が継続される。
【００４５】
照合不成立から照合成立に変化した場合（Ｓ１１にてＹＥＳ）、ＥＣＵ１００は、Ｓ１２にて充電リッド５が開いているか否かを判定する。充電リッド５が開いていない場合（Ｓ１２にてＮＯ）、ＥＣＵ１００は、Ｓ１５にてＳＯＣ表示制御を停止する。なお、ＳＯＣ表示制御が既に停止されている場合には、ＳＯＣ表示制御が停止されている状態が継続される。
【００４６】
充電リッド５が開いている場合（Ｓ１２にてＹＥＳ）、ＥＣＵ１００は、Ｓ１３にてＳＯＣ表示制御を実行する。これにより、ユーザは、窓越しにＳＯＣインジケータ８０を見ることによって車外からＳＯＣを確認することができる。
【００４７】
Ｓ１３の処理後、ＥＣＵ１００は、Ｓ１４にて、消灯条件が成立したか否かを判定する。たとえば、下記の（Ａ）〜（Ｄ）の少なくともいずれかの条件が成立した場合に消灯条件が成立したと判定する。
【００４８】
（Ａ）ユーザの操作によって全ドアがロック状態になったという条件
（Ｂ）いずれかのドアが開かれたという条件
（Ｃ）アクセサリ電源またはイグニッション電源がオン状態にされたという条件
（Ｄ）ユーザが照合範囲から離れてから所定時間が経過したという条件
消灯条件が成立していない場合（Ｓ１４にてＮＯ）、ＥＣＵ１００は、処理をＳ１３に戻し、ＳＯＣ表示制御の実行を継続する。消灯条件が成立した場合（Ｓ１４にてＹＥＳ）、ＥＣＵ１００は、Ｓ１５にてＳＯＣ表示制御を停止する。
【００４９】
図４は、ＳＯＣ表示制御が実行および停止されるタイミングの一例を示す図である。時刻ｔ１にて照合処理の結果が照合不成立から照合成立に変化した（ユーザが車両１に接近した）際には、充電リッド５が閉じており、ユーザが車外からＳＯＣを確認したいというニーズが低い状況でるため、ＳＯＣ表示制御は停止された状態に維持される。
【００５０】
時刻ｔ２にて照合処理の結果が照合不成立から照合成立に再び変化した際には、充電リッド５が開いており、ユーザが車外からＳＯＣを確認したいというニーズが高い状況であるため、ＳＯＣ表示制御の実行が開始される。そのため、ユーザは、車外からＳＯＣインジケータ８０を見ることによってＳＯＣを確認することができる。
【００５１】
その後の時刻ｔ３にて外部充電が開始されると、ＳＯＣ表示制御の実行が継続される。外部充電が完了した時刻ｔ４にて消灯条件が成立していると、ＳＯＣ表示制御が停止される。
【００５２】
外部充電完了後の時刻ｔ５にて照合処理の結果が照合不成立から照合成立に再び変化した際には、充電リッド５が開いたままであるため、ＳＯＣ表示制御が再び実行される。そのため、ユーザは、車外からＳＯＣインジケータ８０を見ることによって、外部充電が完了している（Ｓ０Ｃが目標値に達している）ことを確認することができる。その後、消灯条件が成立した時刻ｔ７にてＳＯＣ表示制御が停止される。
【００５３】
以上のように、本実施の形態によるＥＣＵ１００は、ユーザが車両１に接近し、かつ充電リッド５が開いている場合は、外部充電中あるいは外部充電前後の待機状態であり、ユーザが車外からＳＯＣを確認したいというニーズは高いと考えられるため、ＳＯＣ表示制御を実行する。一方、ユーザが車両１に接近していない場合、または充電リッド５が閉じている場合、外部充電中あるいは外部充電前後の待機状態ではなく、ユーザが車外からＳＯＣを確認したいというニーズが低いと考えられるため、ＥＣＵ１００は、上述のＳＯＣ表示制御を実行しない。これにより、車外に向けてＳＯＣを表示することが抑制される。その結果、バッテリ１０の蓄電量をユーザが車外から確認できるようにしつつ、ユーザに与える不快感を軽減することができる。
【００５４】
＜変形例＞
上述の実施の形態は、たとえば以下のように変更することもできる。
【００５５】
（１）  上述の実施の形態においては、ＳＯＣ表示制御を実行する条件の１つに、ユーザが車両１に接近した（照合処理の結果が照合不成立から照合成立に変化した）という条件を含んでいた。
【００５６】
しかしながら、ユーザが車両１に接近したという条件に代えて、全ドアのうちの少なくともいずれかのドアがロック状態からアンロック状態に変化したという条件にすることも可能である。
【００５７】
図５は、本変形例によるＥＣＵ１００の処理手順を示すフローチャートである。なお、図５に示したステップのうち、前述の図３に示したステップと同じ番号を付しているステップについては、既に説明したため詳細な説明はここでは繰り返さない。
【００５８】
外部充電中でない場合（Ｓ１０にてＮＯ）、ＥＣＵ１００は、Ｓ１１Ａにて、全ドアのうちの少なくともいずれかのドアがロック状態からアンロック状態に変化したか否かを判定する。たとえば、ユーザが電子キー９０の操作部を操作することによって、全ドアがロック状態からアンロック状態を切り替えられた場合、Ｓ１１ＡにてＹＥＳと判定されて、処理がＳ１２に移される。
【００５９】
全ドアのうちの少なくともいずれかのドアがロック状態からアンロック状態に変化し（Ｓ１１ＡにてＹＥＳ）、かつ充電リッド５が開いている場合（Ｓ１２にてＹＥＳ）、ＥＣＵ１００は、Ｓ１３にてＳＯＣ表示制御を実行する。
【００６０】
Ｓ１３の処理後、ＥＣＵ１００は、Ｓ１４Ａにて、消灯条件が成立したか否かを判定する。たとえば、下記の（Ａ）〜（Ｃ）の少なくともいずれかの条件が成立した場合に消灯条件が成立したと判定する。
【００６１】
（Ａ）ユーザの操作によって全ドアがロック状態になったという条件
（Ｂ）いずれかのドアが開かれたという条件
（Ｃ）アクセサリ電源またはイグニッション電源がオン状態にされたという条件
このように変更すると、ユーザは、たとえば車両１から離れた位置（照合範囲外の位置）で電子キー９０の操作部を操作することによっても、ＳＯＣ表示制御を実行することが可能になる。ただし、充電リッド５が閉じている場合には、たとえユーザが電子キー９０の操作部を操作しても、ＳＯＣ表示制御は実行されないので、ユーザに与える不快感も軽減される。
【００６２】
（２）  上述の実施の形態においては、車外から視認可能な位置に配置されたＳＯＣインジケータ８０にＳＯＣの情報を表示することによって、車外のユーザにＳＯＣを報知していた。
【００６３】
しかしながら、車外のユーザにＳＯＣを報知する方法は、これに限定されない。たとえば、上述のＳＯＣインジケータ８０に代えてあるいは加えて、車外のユーザに音声によってＳＯＣを報知する音声出力装置を設けるようにしてもよい。
【００６４】
また、上述した実施の形態およびその変形例については、適宜組合せることも可能である。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６６】
１  車両、２Ｌ  左フロントドア、２Ｒ  右フロントドア、３Ｌ  左リアドア、３Ｒ  右リアドア、４  バックドア、５  充電リッド、７  ダッシュボード、１０  バッテリ、２０  充電器、３０  インレット、５１〜５５  アンテナ、６１〜６６  開閉検出センサ、７１〜７５  ドアロック機構、８０  ＳＯＣインジケータ、９０  電子キー、１００  ＥＣＵ、４００  充電ケーブル、４１０  充電コネクタ、５００  外部電源装置。
【図１】
2017093066.tif 000003
【図２】
2017093066.tif 000004
【図３】
2017093066.tif 000005
【図４】
2017093066.tif 000006
【図５】
2017093066.tif 000007